(57)【要約】【課題】電気泳動表示装置の保持容量の電圧降下を温度にかかわらず所定範囲に抑える。【解決手段】電気泳動表示装置の駆動方法は、複数の走査線（４０）及び複数のデータ線（５０）の交差に対応して夫々規定された複数の画素（２０）からなる表示部（３）と、環境温度を検出する温度検出手段（１１１）とを備え、複数の画素の各々は、互いに対向して配置された画素電極（２１）及び対向電極（２２）間に配置され、電気泳動粒子を含む電気泳動素子（２３）と、画素電極に電気的に接続され、画素電極に供給される画像信号を一時的に保持する保持容量（２７）とを有する電気泳動表示装置（１）の駆動方法である。該駆動方法では、検出された環境温度が第１温度である場合、１フレーム期間が第１時間とされ、検出された環境温度が、第１温度よりも高い第２温度である場合、１フレーム期間が、第１時間よりも短い第２時間とされる。【選択図】図４
2011242567.tif 000002
【特許請求の範囲】
【請求項１】
互いに交差するように設けられた複数の走査線及び複数のデータ線の交差に対応して夫々規定された複数の画素からなる表示部と、環境温度を検出する温度検出手段とを備え、前記複数の画素の各々は、互いに対向して配置された画素電極及び対向電極と、前記画素電極及び前記対向電極間に配置され、電気泳動粒子を含む電気泳動素子と、前記画素電極に電気的に接続され、前記画素電極に供給される画像信号を一時的に保持する保持容量と、を有する電気泳動表示装置の駆動方法であって、
前記検出された環境温度が第１温度である場合、前記複数の走査線の各々が１回ずつ選択される期間である１フレーム期間を、第１時間とし、
前記検出された環境温度が、前記第１温度よりも高い第２温度である場合、前記１フレーム期間を、前記第１時間よりも短い第２時間とする
ことを特徴とする電気泳動表示装置の駆動方法。
【請求項２】
前記検出された環境温度が高い程、前記１フレーム期間の長さが短くなることを特徴とする請求項１に記載の電気泳動表示装置の駆動方法。
【請求項３】
環境温度と前記１フレーム期間の長さとの関係を定めるテーブルを予め記憶し、
前記検出された環境温度と前記記憶されたテーブルとに基づいて、前記１フレーム期間の長さを特定する
ことを特徴とする請求項１に記載の電気泳動表示装置の駆動方法。
【請求項４】
互いに交差するように設けられた複数の走査線及び複数のデータ線の交差に対応して夫々規定された複数の画素からなる表示部と、
環境温度を検出する温度検出手段と
を備え、
前記複数の画素の各々は、
互いに対向して配置された画素電極及び対向電極と、
前記画素電極及び前記対向電極間に配置され、電気泳動粒子を含む電気泳動素子と、
前記画素電極に電気的に接続され、前記画素電極に供給される画像信号を一時的に保持する保持容量と
を有し、
前記検出された環境温度が第１温度である場合、前記複数の走査線の各々が１回ずつ選択される期間である１フレーム期間を、第１時間とし、前記検出された環境温度が、前記第１温度よりも高い第２温度である場合、前記１フレーム期間を、前記第１時間よりも短い第２時間とする駆動手段を更に備える
ことを特徴とする電気泳動表示装置。
【請求項５】
互いに交差するように設けられた複数の走査線及び複数のデータ線の交差に対応して夫々規定された複数の画素からなる表示部と、環境温度を検出する温度検出手段とを備え、前記複数の画素の各々は、互いに対向して配置された画素電極及び対向電極と、前記画素電極及び前記対向電極間に配置され、電気泳動粒子を含む電気泳動素子と、前記画素電極に電気的に接続され、前記画素電極に供給される画像信号を一時的に保持する保持容量と、を有する電気泳動表示装置の制御回路であって、
前記検出された環境温度が第１温度である場合、前記複数の走査線の各々が１回ずつ選択される期間である１フレーム期間を、第１時間とすることを示す信号を出力し、
前記検出された環境温度が、前記第１温度よりも高い第２温度である場合、前記１フレーム期間を、前記第１時間よりも短い第２時間とすることを示す信号を出力する
ことを特徴とする電気泳動表示装置の制御回路。
【請求項６】
請求項４に記載の電気泳動表示装置を備えることを特徴とする電子機器。
【発明の詳細な説明】
【技術分野】
【０００１】
本発明は、電気泳動表示装置の駆動方法、該駆動方法により駆動される電気泳動表示装置、該電気泳動表示装置の制御回路、及び該電気泳動表示装置を備える電子機器の技術分野に関する。
【背景技術】
【０００２】
この種の駆動方法では、電気泳動表示装置に表示される画像の品質向上が図られる。例えば、特許文献１には、予め記憶された温度と基準駆動電圧との変換表に基づいて、データ線駆動電圧電源に対して基準駆動電圧の設定指示を行う駆動方法が記載されている。
【０００３】
また、この種の駆動方法により駆動される電気泳動表示装置として、各画素部に保持容量としてのキャパシタを備え、該キャパシタに蓄えられた電荷により電気泳動素子が駆動される装置が提案されている。尚、この種の電気泳動表示装置では、該電気泳動表示装置に表示される画像が、複数回の書き込みによって書き換えられることが多い。
【先行技術文献】
【特許文献】
【０００４】
【特許文献１】特許第４１９６６１５号公報
【発明の概要】
【発明が解決しようとする課題】
【０００５】
電気泳動素子を構成する電気泳動材料の電気抵抗は温度に依って変化する。すると、時定数が変化し、保持容量の両端の電位差の降下（即ち、電圧降下）スピードが変化する。具体的には、高温では電気泳動材料の電気抵抗が低くなり、時定数が短くなり、電圧降下が早くなる。他方、低温では電気泳動材料の電気抵抗が高くなり、時定数が長くなり、電圧降下が遅くなる。
【０００６】
上述の特許文献１では、保持容量の電圧降下については考慮されていない。すると、高温では、例えば保持容量等に電圧を印加している期間が長くなる（即ち、画像の書き換え期間が長くなる）可能性があるという技術的問題点がある。他方、低温では、保持容量の電圧がほとんど降下していないにもかかわらず、該保持容量の再充電が行われるため、電力が過剰に消費される可能性があるという技術的問題点がある。
【０００７】
本発明は、例えば上記問題点に鑑みてなされたものであり、温度にかかわらず、保持容量の電圧降下を所定範囲に抑えることができる電気泳動表示装置の駆動方法、電気泳動表示装置、電気泳動表示装置の制御回路、及び電子機器を提案することを課題とする。
【課題を解決するための手段】
【０００８】
本発明の電気泳動表示装置の駆動方法は、上記課題を解決するために、互いに交差するように設けられた複数の走査線及び複数のデータ線の交差に対応して夫々規定された複数の画素からなる表示部と、環境温度を検出する温度検出手段とを備え、前記複数の画素の各々は、互いに対向して配置された画素電極及び対向電極と、前記画素電極及び前記対向電極間に配置され、電気泳動粒子を含む電気泳動素子と、前記画素電極に電気的に接続され、前記画素電極に供給される画像信号を一時的に保持する保持容量と、を有する電気泳動表示装置の駆動方法であって、前記検出された環境温度が第１温度である場合、前記複数の走査線の各々が１回ずつ選択される期間である１フレーム期間を、第１時間とし、前記検出された環境温度が、前記第１温度よりも高い第２温度である場合、前記１フレーム期間を、前記第１時間よりも短い第２時間とする。
【０００９】
本発明の電気泳動表示装置の駆動方法によれば、当該駆動方法により駆動される電気泳動表示装置は、互いに交差するように設けられた複数の走査線及び複数のデータ線の交差に対応して夫々規定された複数の画素からなる表示部と、環境温度を検出する、例えば温度センサ等である温度検出手段とを備える。複数の画素の各々は、互いに対向して配置された画素電極及び対向電極と、該画素電極及び対向電極間に配置され、電気泳動粒子を含む電気泳動素子と、画素電極に電気的に接続され、画素電極に供給される画像信号を一時的に保持する保持容量と、を有する。
【００１０】
ここで、電気泳動表示装置は、その動作時に、保持容量（即ち、キャパシタ）に電荷が蓄えられ、該蓄えられた電荷により電気泳動素子が駆動されることによって、表示部に、画像信号に対応した画像が表示される。尚、表示部に表示される画像は、複数回の書き込みによって書き換えられる。
【００１１】
当該駆動方法では、検出された環境温度が第１温度である場合、複数の走査線の各々が１回ずつ選択される期間である１フレーム期間が、第１時間とされる。他方、検出された環境温度が、該第１温度よりも高い第２温度である場合、１フレーム期間が、該第１時間よりも短い第２時間とされる。
【００１２】
尚、「第２温度」は、例えば、表示部に表示される画像のコントラストが、許容範囲を超えて低下し始める環境温度等して設定されている。
【００１３】
本願発明者の研究によれば、以下の事項が判明している。即ち、電気泳動素子を構成する電気泳動材料の電気抵抗は温度に依って変化する。この結果、温度に依って時定数が変化し、保持容量の電圧降下の速度が変化する。このため、何らの対策も採らず、常に一定回数の書き込みによって表示部に表示される画像を書き換えるとすると、環境温度が比較的高温では、電圧降下が比較的早いため、例えば画像の書き換え期間が長くなる可能性がある。他方、環境温度が比較的低温では、電圧降下が比較的遅いため、保持容量の再充電が比較的頻繁に行われることによって、電力が過剰に消費される可能性がある。
【００１４】
しかるに本発明では、上述の如く、検出された環境温度が第１温度である場合、１フレーム期間が第１時間とされ、検出された環境温度が、該第１温度よりも高い第２温度である場合、１フレーム期間が、該第１時間よりも短い第２時間とされる。つまり、本発明では、環境温度が第１温度よりも高い第２温度となった場合、１フレーム期間が、第１時間よりも短い第２時間とされる（言い換えれば、リフレッシュレートが増加する）。
【００１５】
比較的高温である第２温度では、保持容量の電圧降下が比較的早くなることに対応して１フレーム期間が比較的短い第２時間となるので、比較的頻繁に保持容量が再充電され、もって、保持容量の電圧降下を抑制することができる。他方、比較的低温である第１温度では、保持容量の電圧降下が比較的遅くなることに対応して１フレーム期間が比較的長い第１時間となるので、保持容量の充電回数が抑制され、もって、電力の消費量を抑制することができる。
【００１６】
本発明の電気泳動表示装置は、上記課題を解決するために、互いに交差するように設けられた複数の走査線及び複数のデータ線の交差に対応して夫々規定された複数の画素からなる表示部と、環境温度を検出する温度検出手段とを備え、前記複数の画素の各々は、互いに対向して配置された画素電極及び対向電極と、前記画素電極及び前記対向電極間に配置され、電気泳動粒子を含む電気泳動素子と、前記画素電極に電気的に接続され、前記画素電極に供給される画像信号を一時的に保持する保持容量とを有し、前記検出された環境温度が第１温度である場合、前記複数の走査線の各々が１回ずつ選択される期間である１フレーム期間を、第１時間とし、前記検出された環境温度が、前記第１温度よりも高い第２温度である場合、前記１フレーム期間を、前記第１時間よりも短い第２時間とする駆動手段を更に備える。
【００１７】
本発明の電気泳動表示装置によれば、上述した本発明の電気泳動表示装置と同様に、温度にかかわらず、保持容量の電圧降下を所定範囲に抑えることができる。
【００１８】
本発明の電気泳動表示装置の制御回路は、上記課題を解決するために、互いに交差するように設けられた複数の走査線及び複数のデータ線の交差に対応して夫々規定された複数の画素からなる表示部と、環境温度を検出する温度検出手段とを備え、前記複数の画素の各々は、互いに対向して配置された画素電極及び対向電極と、前記画素電極及び前記対向電極間に配置され、電気泳動粒子を含む電気泳動素子と、前記画素電極に電気的に接続され、前記画素電極に供給される画像信号を一時的に保持する保持容量と、を有する電気泳動表示装置の制御回路であって、前記検出された環境温度が第１温度である場合、前記複数の走査線の各々が１回ずつ選択される期間である１フレーム期間を、第１時間とすることを示す信号を出力し、前記検出された環境温度が、前記第１温度よりも高い第２温度である場合、前記１フレーム期間を、前記第１時間よりも短い第２時間とすることを示す信号を出力する。
【００１９】
本発明の電気泳動表示装置の制御回路によれば、上述した本発明の電気泳動表示装置と同様に、温度にかかわらず、保持容量の電圧降下を所定範囲に抑えることができる。
【００２０】
本発明の電子機器は、上記課題を解決するために、上述した本発明の電気泳動表示装置を備える。
【００２１】
本発明の電子機器によれば、上述した本発明の電気泳動表示装置を具備してなるので、温度にかかわらず、保持容量の電圧降下を所定範囲に抑えることができる。この結果、例えばコントラストの低下を抑制することができるので、高品質な画像を表示可能な、例えば、腕時計、電子ペーパー、電子ノート、携帯電話、携帯用オーディオ機器などの各種電子機器を実現できる。
【００２２】
本発明の作用及び他の利得は次に説明する実施するための形態から明らかにされる。
【図面の簡単な説明】
【００２３】
【図１】本発明の実施形態に係る電気泳動表示装置の全体構成を示すブロック図である。
【図２】本発明の実施形態に係る電気泳動表示装置の表示部の構成を示すブロック図である。
【図３】本発明の実施形態に係る画素の電気的な構成を示す等価回路図である。
【図４】本発明の実施形態に係る電気泳動表示装置の駆動方法の要部を示すフローチャートである。
【図５】温度と、フレームレート及びフレーム回数との関係を規定するテーブルの一例である。
【図６】保持容量の電圧の時間変化の一例を、温度毎に示す特性図である。
【図７】電気泳動表示装置を適用した電子機器の一例としての電子ペーパーの構成を示す斜視図である。
【図８】電気泳動表示装置を適用した電子機器の他の例としての電子ノートの構成を示す斜視図である。
【発明を実施するための形態】
【００２４】
以下、本発明に係る電気泳動表示装置、及び該電気泳動表示装置を備える電子機器の各実施形態を、図面に基づいて説明する。
【００２５】
＜電気泳動表示装置＞
（電気泳動表示装置の構成）
本発明の電気泳動表示装置の実施形態について、図１乃至図３を参照して説明する。尚、以下の図では、各層・各部材を図面上で認識可能な大きさとするため、該各層・各部材毎に縮尺を異ならしめている。
【００２６】
先ず、本実施形態に係る電気泳動表示装置の全体構成について、図１を参照して説明する。図１は、本実施形態に係る電気泳動表示装置の全体構成を示すブロック図である。
【００２７】
図１において、電気泳動表示装置１は、表示部３、制御回路１０、温度センサ１１１、表示体駆動回路１３０及び表示体電源回路２００を備えて構成されている。尚、表示部３と制御回路１０とは、互いに分離可能に構成されていてもよい。
【００２８】
本発明に係る「温度検出手段」の一例としての、温度センサ１１１は、環境温度を検出する。ここで、温度センサ１１１は、例えば表示部３（即ち、パネル）の裏面の中央に配置される。尚、温度センサ１１１の位置は、表示部３の裏面の中央に限らず、例えば、表示部３の裏面の端、ディスプレイフレームのうち常時ユーザの手が触れていない部分等、環境温度を正確に（言い換えれば、ユーザの体温の影響を受けずに）検出可能な位置であれば、どこに配置されていてもかまわない。また、温度センサ１１１は、一つに限らず、複数個設けられていてもよい。
【００２９】
温度センサ１１１から出力された環境温度を示す信号は、ＡＤＣ（Ａｎａｌｏｇ  Ｄｉｇｉｔａｌ  Ｃｏｎｖｅｒｔｅｒ）１１２においてデジタル値に変換され、該変換された値がＲＡＭ（Ｒａｎｄｏｍ  Ａｃｃｅｓｓ  Ｍｅｍｏｒｙ）１１３に格納される。
【００３０】
本発明に係る「駆動手段」の一例としての、制御回路１０は、ＣＰＵ（Ｃｅｎｔｒａｌ  Ｐｒｏｃｅｓｓｉｎｇ  Ｕｎｉｔ）１０１、表示体駆動回路１０２、フラッシュＲＯＭ（Ｒｅａｄ  Ｏｎｌｙ  Ｍｅｍｏｒｙ）１０３、及びＲＡＭ１０４を備えて構成されている。
【００３１】
ここで、フラッシュＲＯＭ１０３には、例えばパーソナルコンピュータ等から転送された画像データ等が格納されている。ＲＡＭ１０４には、次回表示部３に描画される画像データが一時的に保持されている。表示体駆動制御回路１０２は、ＣＰＵ１０１を介して取得された、例えば、ＲＡＭ１０４に保持されている画像データ、ＲＡＭ１１３に格納されている環境温度等に基づいて、表示体電源回路２００及び表示体駆動回路１３０を制御して、表示部３に表示される画像の書き替えを行う。
【００３２】
表示体駆動回路１３０は、後述する走査線駆動回路１３１、データ線駆動回路１３２及び共通電位供給回路１３３を備えて構成されている。
【００３３】
次に、電気泳動表示装置１の表示部３について、図２を参照して説明を加える。図２は、本実施形態に係る電気泳動表示装置の表示部の構成を示すブロック図である。尚、図２では、説明の便宜上、図１において示した部材のうち、直接関係のない部材については図示を省略している。
【００３４】
図２において、表示部３には、ｍ行×ｎ列分の画素２０がマトリックス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００３５】
制御回路１０は、走査線駆動回路１３１、データ線駆動回路１３２及び共通電位供給回路１３３の動作を制御する。制御回路１０は、例えば、クロック信号、スタートパルス等のタイミング信号を各回路に供給する。
【００３６】
走査線駆動回路１３１は、制御回路１０から供給されるタイミング信号に基づいて、走査線Ｙ１、Ｙ２、…、Ｙｍの各々に走査信号をパルス的に順次供給する。データ線駆動回路１３２は、制御回路１０から供給されるタイミング信号に基づいて、データ線Ｘ１、Ｘ２、…、Ｘｎに画像信号を供給する。共通電位供給回路１３３は、共通電位線９３に共通電位Ｖｃｏｍを供給する。
【００３７】
尚、制御回路１０、走査線駆動回路１３１、データ線駆動回路１３２及び共通電位供給回路１３３には、各種の信号が入出力されるが、本実施形態と特に関係のないものについては説明を省略する。
【００３８】
次に、電気泳動表示装置１の画素２０における原理的構成について、図３を参照して説明する。図３は、本実施形態に係る画素の電気的な構成を示す等価回路図である。
【００３９】
図３において、画素２０は、画素スイッチング用トランジスター２４と、画素電極２１と、共通電極２２と、電気泳動素子２３と、保持容量２７とを備えている。
【００４０】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。
【００４１】
画素スイッチング用トランジスター２４は、データ線駆動回路１３２（図２参照）からデータ線５０を介して供給される画像信号を、走査線駆動回路１３１（図２参照）から走査線４０を介してパルス的に供給される走査信号に応じたタイミングで、画素電極２１及び保持容量２７に出力する。
【００４２】
画素電極２１には、データ線駆動回路１３２からデータ線５０及び画素スイッチング用トランジスター２４を介して、画像信号が供給される。画素電極２１は、電気泳動素子２３を介して共通電極２２と互いに対向するように配置されている。
【００４３】
本発明に係る「対向電極」の一例としての、共通電極２２は、共通電位Ｖｃｏｍが供給される共通電位線９３に電気的に接続されている。
【００４４】
電気泳動素子２３は、電気泳動粒子をそれぞれ含んでなる複数のマイクロカプセルから構成されている。
【００４５】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によって画像信号を一定期間だけ維持することができる。
【００４６】
（電気泳動表示装置の駆動方法）
次に、上述の如く構成された電気泳動表示装置１の駆動方法について、図４乃至図６を参照して説明する。
【００４７】
表示部３上に表示された画像が書き換えられる際の電気泳動表示装置１の駆動方法を図４のフローチャートを参照して説明する。図４は、本実施形態に係る電気泳動表示装置の駆動方法の要部を示すフローチャートである。
【００４８】
図４において、先ず、ユーザにより画面書き替えボタン１２１（図１参照）が押下されると、制御回路１０におけるＣＰＵ１０１は、ＲＡＭ１１３に格納されている、温度センサ１１１により測定された環境温度を取得する（ステップＳ１０１）。
【００４９】
次に、ＣＰＵ１０１は、取得された環境温度と、例えばＲＯＭ１０３に格納されている、温度とフレームレート及びフレーム回数との関係を規定するテーブル（図５参照）を参照して、今回の画像を書き換える際のフレームレートを決定する（ステップＳ１０２）。図５は、温度と、フレームレート及びフレーム回数との関係を規定するテーブルの一例である。
【００５０】
次に、ＣＰＵ１０１は、決定されたフレームレートが、現在設定されている（即ち、前回の書き替え時の）フレームレートと異なるか否かを判定する（ステップＳ１０３）。決定されたフレームレートが、現在設定されているフレームレートと同じであると判定された場合（ステップＳ１０３：Ｎｏ）、ＣＰＵ１０１は、フレームレートを変更せずに、表示部３上に表示される画像の書き替えを行うように、表示体駆動制御回路１０２を介して、表示体駆動回１３０及び表示体電源回路２００を夫々制御する（ステップＳ１０４）。
【００５１】
他方、決定されたフレームレートが、現在設定されているフレームレートと異なっていると判定された場合（即ち、前回の書き替え時から環境温度が変化している場合）（ステップＳ１０３：Ｙｅｓ）、ＣＰＵ１０１は、フレームレートを、ステップＳ１０２の処理で決定されたフレームレートに更新して（ステップＳ１０５）、該更新されたフレームレートで表示部３上に表示される画像の書き替えを行うように、表示体駆動制御回路１０２を介して、表示体駆動回１３０及び表示体電源回路２００を夫々制御する（ステップＳ１０４）。
【００５２】
ここで、保持容量２７の両端の電位差の時間変化について、図６を参照して説明する。図６は、保持容量の電圧の時間変化の一例を、温度毎に示す特性図である。
【００５３】
図６に示すように、環境温度が比較的高温では（点線参照）、常温（実線参照）に比べてフレームレートが高くなっているため、比較的頻繁に保持容量２７の充電が行われる。このため、保持容量２７の電圧降下の程度を、常温時と同程度に抑えることができる。この結果、保持容量２７の実効電圧を比較的高く維持することができ、もって、表示部３に表示される画像の書き換えを比較的短時間で行うことができる。
【００５４】
他方、環境温度が比較的低温では（一点鎖線参照）、常温に比べてフレームレートが低くなっているため、保持容量２７の電圧降下の程度が、例えば常温時と同程度になるまで、保持容量２７の充電が行われない。この結果、保持容量２７の充電回数を抑制することができ、もって、電力の消費量を抑制することができる。
【００５５】
＜電子機器＞
次に、上述した電気泳動表示装置を適用した電子機器について、図７及び図８を参照して説明する。以下では、上述した電気泳動表示装置を電子ペーパー及び電子ノートに適用した場合を例にとる。
【００５６】
図７は、電子ペーパー４００の構成を示す斜視図である。
【００５７】
図７に示すように、電子ペーパー４００は、上述した実施形態に係る電気泳動表示装置を表示部４０１として備えている。電子ペーパー４００は可撓性を有し、従来の紙と同様の質感及び柔軟性を有する書き換え可能なシートからなる本体４０２を備えて構成されている。
【００５８】
図８は、電子ノート５００の構成を示す斜視図である。
【００５９】
図８に示すように、電子ノート５００は、図７で示した電子ペーパー４００が複数枚束ねられ、カバー５０１に挟まれているものである。カバー５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００６０】
上述した電子ペーパー４００及び電子ノート５００は、上述した実施形態に係る電気泳動表示装置を備えるので、温度にかかわらず、保持容量の電圧降下を所定範囲に抑えることができる。この結果、例えばコントラストの低下を抑制することができるので、高品質な画像を表示可能な、高品質な画像表示を行うことが可能である。
【００６１】
尚、これらの他に、腕時計、携帯電話、携帯用オーディオ機器などの電子機器の表示部に、上述した本実施形態に係る電気泳動表示装置を適用することができる。
【００６２】
尚、上述した実施形態では、温度センサ１１１により直接的に環境温度を検出しているが、例えばリーク電流量を検出して、該検出されたリーク電流量に基づいて、間接的に環境温度を検出してもよい。或いは、検出されたリーク電流の変動に基づいて、電気泳動材料の電気抵抗の変動を推定して、該推定された電気抵抗の変動に応じて、表示部３に表示される画像を書き換える際のフレームレートを設定又は変更してもよい。
【００６３】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置の駆動方法、電気泳動表示装置、該電気泳動表示装置の制御回路、及び該電気泳動表示装置を備える電子機器もまた本発明の技術的範囲に含まれるものである。
【符号の説明】
【００６４】
１…電気泳動表示装置、３…表示部、１０…制御回路、２０…画素、２１…画素電極、２２…共通電極、２３…電気泳動素子、２７…保持容量、４０…走査線、５０…データ線、１１１…温度センサ、１３０…表示体駆動回路、２００…表示体電源回路
【図１】
2011242567.tif 000003
【図２】
2011242567.tif 000004
【図３】
2011242567.tif 000005
【図４】
2011242567.tif 000006
【図５】
2011242567.tif 000007
【図６】
2011242567.tif 000008
【図７】
2011242567.tif 000009
【図８】
2011242567.tif 000010